(57)【特許請求の範囲】
【請求項１】
床面に対し垂直に設置される背板と、
下辺が前記背板の上辺に回動自在に枢着された天板と、
上辺が第１の枢軸により前記天板に回動自在に枢支された脚板と、
下辺が第２の枢軸により前記背板に摺回動自在に枢支され、上辺が前記脚板と共通の前記第１の枢軸により前記天板に摺回動自在に枢支され、且つ前記脚板の左右に隣接配置された一対の筋交板と、
下辺が前記筋交板と共通の前記第２の枢軸により前記背板に回動自在に枢支され、上辺が第３の枢軸により前記脚板に摺回動自在に枢支された突支板と、
前記背板に上下方向に形成され、一方の溝端が該背板の上辺側に開放された、左右の前記筋交板が出入し合致嵌合する背板中央溝と、
前記背板中央溝と溝幅及び溝筋が合致連続するように、前記天板に上下方向に形成され、一方の溝端が該天板の下辺側に開放された、左右の前記筋交板が出入し合致嵌合する天板中央溝と、
前記脚板に上下方向に形成され、一方の溝端が該脚板の下辺側に開放された、前記突支板が出入し合致嵌合する脚板中央溝と、
前記天板中央溝の左右の溝壁に、該天板中央溝の溝筋方向と平行な溝状に形成され、前記第１の枢軸の各端部が摺動自在に嵌合された第１の枢軸軌道溝と、
前記背板中央溝の左右の溝壁に、該背板中央溝の溝筋方向と平行な溝状に形成され、前記第２の枢軸の各端部が摺動自在に嵌合された第２の枢軸軌道溝と、
前記脚板中央溝の左右の溝壁に、該脚板中央溝の溝筋方向に平行な溝状に形成され、前記第３の枢軸の各端部が摺動自在に嵌合された第３の枢軸軌道溝と、を備えた支持台開閉構造。
【請求項２】
前記背板と前記天板が平行となるよう開いた状態において、左右の前記筋交板は前記背板中央溝及び前記天板中央溝に合致嵌合し、前記脚板は左右の前記筋交板の間に合致嵌合し、前記突支板は前記脚板中央溝に合致嵌合し、且つ前記背板、前記天板、左右の前記筋交板、前記脚板、及び前記突支板の前面が面一となることを特徴とする請求項１記載の支持台開閉構造。
【請求項３】
前記天板中央溝の前記筋交板と対向する位置に突設され、先端が上方に向かって直角に曲折した鈎形状の掛止片と、
前記筋交板の前記掛止片に対向する位置に刻設され、断面が上向きに曲折した鈎形に形成され、前記掛止片と着脱自在に掛合する掛止孔と、を備え、
前記掛止孔の開口端の上側辺は、滑らかな凸曲面状に面取りされた筋交板側ガイド面が形成され、
前記掛止片の前記筋交板に対向する側の上側辺は、滑らかな凸曲面状に面取りされた天板側ガイド面が形成されていることを特徴とする請求項１又は２に記載の支持台開閉構造。
【発明の詳細な説明】
【技術分野】
【０００１】
本発明は、折り畳み式の机や椅子のような支持台の開閉構造に関する。
【背景技術】
【０００２】
本発明に関連する先行技術としては、特許文献１〜１２に記載のものが公知である。
【０００３】
（Ａ）特許文献１には、平行な一対の縦柱部（１，１）を有する枠体（Ａ）と、一対の縦柱部（１，１）間に一端側を枢支連結し，上下方向に回動自在とした座板（８）と、該座板（８）の裏面側且つ回動自由端側に上端部分を枢支連結した一対の脚部材（９，９）と、一端側を枠体（Ａ）側に枢支連結し，他端側を一対の脚部材（９，９）に枢支連結し，座板（８）と常時平行を維持する一対の横桟部材（１１，１１）とからなる壁備付け用折畳み椅子が記載されている（特許文献１の図１〜図８参照）。また、特許文献２にも、特許文献１と同様の機構構成の支持台開閉構造（壁面備付け用椅子）が記載されている（特許文献２の図２，図３参照）。
【０００４】
（Ｂ）特許文献３には、壁面に支持され、該壁面に沿って折り畳み可能とした折り畳み式腰掛けであって、鉛直向きに壁面に固定される取付金具（２）と、該取付金具（２）の一端部に、水平状態から上方に向かって垂直状態に至るまで揺動可能に枢着された平板状の座フレーム（１）と、取付金具（２）と座フレーム（１）の左右両側面に沿って配設し、その一端側を座フレーム（１）の中央付近側面に枢着し、他端側を座フレーム（１）の揺動に追随して取付金具（２）の側面に沿って鉛直方向に移動可能としたリンク（３，３）とからなり、壁面に沿って折りたたんだとき、座フレーム（１）が取付金具（２）に枢着された状態で、且つ取付金具（２）の上部位置に壁面に沿って、略一直線上に折り畳まれ、収納できるようにした折り畳み式腰掛けが記載されている（特許文献３の請求項１及び図１参照）。また、特許文献４〜７にも、同様の機構構成を有する支持台開閉構造が記載されている。
【０００５】
（Ｃ）特許文献８には、壁面（１）等に取り付けられる上下方向の支持枠（２）と、後端部に左右方向の可動軸（３）を有する座部（４）と、下端部が左右方向の基軸（５）により前記支持枠（２）の下部に、上端部が左右方向の連結軸（６）により前記座部（４）の前端部に夫々回動自在に連結された脚部（７）とを備え、前記支持枠（２）の左右両側に、前記座部（４）が前記支持枠（２）から前方に突出する使用時の下降位置（Ｄ）と、前記座部（４）と前記脚部（７）とが前記支持枠（２）に沿って略一直線状に収納される上昇位置（Ｕ）との間で前記可動軸（３）を上下方向に案内する左右一対の案内部（８）を設けた壁面等取り付け用の折り畳み式椅子において、左右一体構造の前記脚部（７）に前記基軸（５）を挿通すると共に、前記座部（４）を使用姿勢（Ｘ）で無負荷状態にしたときに、前記可動軸（３）が前記下降位置（Ｄ）及び前記連結軸（６）により高い位置となるように、前記座部（４）と前記脚部（７）とを前記連結軸（６）廻りに伸展方向に付勢するバネ（９）を設けたことを特徴とする壁面等取り付け用の折り畳み式椅子が記載されている（特許文献８の請求項１及び図１，図２参照）。
【０００６】
（Ｄ）特許文献９には、縦壁面に装着されるベース（２）に、座部材（１）をほゞ水平の使用姿勢と縦壁面側への折り畳み姿勢とに切り換え可能に枢着してなるスツールであって、座部材（１）の左右両側に備えたアーム部材（６）に対して、座部材（１）の前部側を支持するための支持脚体（１９）を、座部材（１）の支持姿勢とアーム部材（６）側への収納姿勢とに切り換え可能に枢支連結し、かつ、アーム部材（６）側への収納姿勢において、この脚体（１９）を座部材（１）の前面部とほゞ面一または凹入するように構成する一方、座部材（１）の使用姿勢への切り換えに連動して脚体（１９）を支持姿勢に且つ座部材（１）の折り畳み姿勢への切り換えに連動して脚体（１９）を収納姿勢に切り換える連動機構と、折り畳み姿勢にある座部材（１）の姿勢保持手段とを備えたスツールが記載されている（特許文献９の請求項１及び図１〜図９参照）。また、特許文献１０にも、同様の機構構成を有する支持台開閉構造が記載されている。
【０００７】
（Ｅ）特許文献１１には、下端が床面に当接されかつ上部に収納空間（１１）を有するとともに壁面に木ねじで固定されるフレーム（１）と、後端が蝶番（５）を介してフレーム（１）の収納空間下端に枢着されるとともに不使用時には持ち上げられてフレーム（１）内の収納空間（１１）内に収納され、使用時には引き下ろされて前端が仰角約１度の姿勢に保持される座板（４）と、上端が座板（４）の先端寄りの下面に蝶番（７）を介して枢着されるとともに不使用時には座板（４）に追従して引き上げられて座板（４）と平行に保持され、使用時には下端が垂線から約５度後退した姿勢で床面に当接される大ステイ（６）と、前端が大ステイ（６）の下端と接合軸を介して枢着されかつ後端がフレーム（１）下端寄りの位置に蝶番（２１）を介して枢着されるとともに不使用時には大ステイ（６）に追従して引き上げられてフレーム（１）とほぼ平行に保持され、使用時には前端が床面に当接しかつ後端側が仰角約２度の姿勢に保持される小ステイ（８）とを備えた壁付き椅子が記載されている（特許文献１１の請求項１及び図１〜図５参照）。
【０００８】
（Ｆ）特許文献１２には、壁面に取付けられる基枠部（１）と、後側端部が基枠部（１）の上半部にスライド可能に連結され座る人の臀部を受ける座板部（２）と、座板部（２）の前側端部に回動可能に連結され座板部（２）を床面から一定の高さに支える脚部（３）とを備え、基枠部（１）に座板部（２）の上面側と脚部（３）の前面側とが前方に向けて展開されて収容される収容空間（１５）が設けらた折畳椅子が記載されている（特許文献１２の請求項１及び図１〜図３参照）。
【先行技術文献】
【特許文献】
【０００９】
【特許文献１】特開２０００−６０６７４号公報
【特許文献２】特開２００１−２９９５０４号公報
【特許文献３】特開２００３−９３１８８号公報
【特許文献４】特開２００１−２４５７５１号公報
【特許文献５】実開平１−９４５０１号公報
【特許文献６】実開平３−６７３７９号公報
【特許文献７】特開昭５３−９３９５９号公報
【特許文献８】実用新案登録第３１０６５０１号公報
【特許文献９】特開２００３−１９９６４７号公報
【特許文献１０】特開２０１０−９９３５６号公報
【特許文献１１】実用新案登録第３０９１５１２号公報
【特許文献１２】特開２００２−６５３９８号公報
【発明の概要】
【発明が解決しようとする課題】
【００１０】
上述の先行技術に記載された各支持台開閉構造の連鎖構成を整理すると、図７及び図８に記載した通りに分類される。図７の（Ａ１）〜（Ａ３）は特許文献１，２に記載の支持台開閉構造の連鎖構成を表す。図７の（Ｂ１）〜（Ｂ３）は特許文献３〜７に記載の支持台開閉構造の連鎖構成を表す。図７の（Ｃ１）〜（Ｃ３）は特許文献８に記載の支持台開閉構造の連鎖構成を表す。図８の（Ｄ１）〜（Ｄ３）は特許文献９，１０に記載の支持台開閉構造の連鎖構成を表す。図８の（Ｅ１）〜（Ｅ３）は特許文献１１に記載の支持台開閉構造の連鎖構成を表す。図８の（Ｆ１）〜（Ｆ３）は特許文献１２に記載の支持台開閉構造の連鎖構成を表す。図７，図８において、太線はリンク（節）、白円（○）は自由端、内部に同心の塗潰黒円を包含する蛇の目円（中黒二重円）は回り対偶（回転対偶）、中心点を過ぎり対向する円周上の２点間を結ぶ横線を内部に包含する円（横分割円）は滑り対偶を表す。
【００１１】
本発明は、これらの従来の支持台開閉構造とは異なる連鎖構成を有し、壁面への収納時に表面が平面状となって障害物とならずコンパクトに収納でき、展開時に支持脚がある程度強い衝撃を受けても意想外に支持脚が折り畳まれる事故を防止できる支持台開閉構造を提供することにある。
【課題を解決するための手段】
【００１２】
本発明に係る支持台開閉構造の第１の構成は、床面に対し垂直に設置される背板と、
下辺が前記背板の上辺に回動自在に枢着された天板と、
上辺が第１の枢軸により前記天板に回動自在に枢支された脚板と、
下辺が第２の枢軸により前記背板に摺回動自在に枢支され、上辺が前記脚板と共通の前記第１の枢軸により前記天板に摺回動自在に枢支され、且つ前記脚板の左右に隣接配置された一対の筋交板と、
下辺が前記筋交板と共通の前記第２の枢軸により前記背板に回動自在に枢支され、上辺が第３の枢軸により前記脚板に摺回動自在に枢支された突支板と、
前記背板に上下方向に形成され、一方の溝端が該背板の上辺側に開放された、左右の前記筋交板が出入し合致嵌合する背板中央溝と、
前記背板中央溝と溝幅及び溝筋が合致連続するように、前記天板に上下方向に形成され、一方の溝端が該天板の下辺側に開放された、左右の前記筋交板が出入し合致嵌合する天板中央溝と、
前記脚板に上下方向に形成され、一方の溝端が該脚板の下辺側に開放された、前記突支板が出入し合致嵌合する脚板中央溝と、
前記天板中央溝の左右の溝壁に、該天板中央溝の溝筋方向と平行な溝状に形成され、前記第１の枢軸の各端部が摺動自在に嵌合された第１の枢軸軌道溝と、
前記背板中央溝の左右の溝壁に、該背板中央溝の溝筋方向と平行な溝状に形成され、前記第２の枢軸の各端部が摺動自在に嵌合された第２の枢軸軌道溝と、
前記脚板中央溝の左右の溝壁に、該脚板中央溝の溝筋方向に平行な溝状に形成され、前記第３の枢軸の各端部が摺動自在に嵌合された第３の枢軸軌道溝と、を備えたことを特徴とする。
【００１３】
この構成によれば、背景技術に示した従来の支持台開閉構造とは異なる連鎖構成の支持台開閉構造が実現される（図２参照）。天板を収納した収納状態では、天板を背板に対して平行となるように起立させる。このとき、左右の筋交板は下辺が背板に摺回動自在に枢支され、上辺が天板に摺回動自在に枢支されているため、天板が背板に平行な状態では、筋交板も天板及び背板に平行となる。また、脚板は上辺が筋交板と同軸に天板に摺回動自在に枢支され、下辺は自由端であるため、重力によって鉛直向きに懸垂された状態を維持し、天板及び背板並びに筋交板に平行となる。また、突支板は、下辺が筋交板と同軸に背板に回動自在に枢支され、上辺が脚板に摺回動自在に枢支されているため、背板と脚板が平行となれば、突支板も背板及び脚板に平行となる。斯くして、背板、天板、脚板、筋交板、及び突支板は全て平行となり、平面的となって収納された状態となる。一方、天板を背板に対して垂直となるように回出する場合、天板の上辺を背板の前側方向に回動させる。このとき、左右の筋交板は下辺が背板に対し回動し、上辺が天板に対し摺回動し、天板の下側面と背板の前側面との間を斜めに架け渡す筋交いとなる。また、脚板は上辺が筋交板上辺とともに天板に対し摺回動するが、下辺は自由端であるため、重力によって鉛直向きに懸垂された状態を維持し、天板の下側面を床面上に支持する脚となる。また、突支板は、下辺が背板に対し前側に回動し、上辺が脚板に対し摺回動し、背板と脚板との間の突支材となる。斯くして、天板を物置台、脚板を支持脚とした支持台となる。このとき、突支板は脚板及び背板に対して垂直乃至略垂直となり、脚板に不慮の衝撃が加わった場合であっても、脚板の回動を抑え、脚板が背板方向に回動して天板が跳ね上がるといった事故を防止する。
【００１４】
本発明に係る支持台開閉構造の第２の構成は、前記第１の構成に於いて、前記背板と前記天板が平行となるよう開いた状態において、左右の前記筋交板は前記背板中央溝及び前記天板中央溝に合致嵌合し、前記脚板は左右の前記筋交板の間に合致嵌合し、前記突支板は前記脚板中央溝に合致嵌合し、且つ前記背板、前記天板、左右の前記筋交板、前記脚板、及び前記突支板の前面が面一となることを特徴とする。
【００１５】
この構成によれば、背板と前記天板が平行となるよう開いた収納状態において、背板、天板、左右の筋交板、脚板、及び突支板の前面が面一となるため、意匠的に美観に優れると共に、表面の出っ張りがないため、引っ掛かりが無く、使用者が誤って服などを引っ掛けて毀損するといった事故の発生を防止することができる。
【００１６】
本発明に係る支持台開閉構造の第３の構成は、前記第１又は２の構成に於いて、前記天板中央溝の前記筋交板と対向する位置に突設され、先端が上方に向かって直角に曲折した鈎形状の掛止片と、
前記筋交板の前記掛止片に対向する位置に刻設され、断面が上向きに曲折した鈎形に形成され、前記掛止片と着脱自在に掛合する掛止孔と、を備え、
前記掛止孔の開口端の上側辺は、滑らかな凸曲面状に面取りされた筋交板側ガイド面が形成され、
前記掛止片の前記筋交板に対向する側の上側辺は、滑らかな凸曲面状に面取りされた天板側ガイド面が形成されていることを特徴とする。
【００１７】
この構成によれば、背板と天板が平行となるよう開いた収納状態においては、天板の掛止片が左右の筋交板の掛止孔と掛合して固定される。天板を回出する際には、天板及び左右の筋交板を背板に対して上方に少し摺動させて（即ち、第２の枢軸を上方に少し摺動させて）、掛止片と掛止孔との掛合状態を解除した状態とし、この状態で天板を前方に回出することで、天板を回出することができる。一方、回出した天板を再び収納状態に戻す際には、天板を回動させていけば、天板が背板に対して平行に近い状態となったとき、筋交板側ガイド面が天板側ガイド面に当接し、両者はともに滑らかな凸曲面であるため、筋交板側ガイド面は天板側ガイド面に沿って摺動して筋交板及び天板は自動的に持ち上げられる。そして、天板が背板に対して略平行となり掛止片が掛止孔の真上に移動すると、重力により筋交板及び天板は下方に摺動して掛止片が掛止孔に掛合する。これにより、ワンタッチで天板を収納・固定することができる。
【発明の効果】
【００１８】
以上のように、本発明によれば、背景技術に示したような従来の支持台開閉構造とは異なる連鎖構成の支持台開閉構造を提供することができる。また、天板を回出した使用状態において、突支板は脚板及び背板に対して垂直乃至略垂直となり、脚板に不慮の衝撃が加わった場合であっても、脚板の回動を抑え、脚板が背板方向に回動して天板が跳ね上がるといった事故を防止することができる。
【００１９】
また、収納状態において、背板、天板、左右の筋交板、脚板、及び突支板の前面が面一となるよう構成することで、意匠的に美観に優れると共に、表面の出っ張りがないため、使用者が誤って服などを引っ掛けて毀損するといった事故の発生を防止することができる。
【００２０】
また、上記のような掛止片、掛止孔、筋交板側ガイド面、及び天板側ガイド面を備えた構成とすることで、ワンタッチで天板を収納・固定することができ、利便性に優れた支持台開閉構造を提供することができる。
【図面の簡単な説明】
【００２１】
【図１】本発明の実施例１に係る支持台開閉構造の斜視図である。（ａ）収納状態、（ｂ）半分開いた状態、（ｃ）天板を完全に回出した状態。
【図２】図１の支持台開閉構造の側面図である。（ａ）収納状態、（ｂ）半分開いた状態、（ｃ）天板を完全に回出した状態。
【図３】図１の支持台開閉構造の分解斜視図である。
【図４】図１の支持台開閉構造の（ａ）背面斜視図及び（ｂ）底面図である。
【図５】図１の支持台開閉構造における天板３の掛止片３ｅ及び筋交板５の掛止孔５ｃの掛合構造を表す拡大断面図である。
【図６】本発明の実施例２に係る支持台開閉構造の斜視図である。
【図７】従来の支持台開閉構造の連鎖構成を表す図である。
【図８】従来の支持台開閉構造の連鎖構成を表す図である。
【発明を実施するための形態】
【００２２】
以下、本発明を実施するための形態について、図面を参照しながら説明する。
【実施例１】
【００２３】
図１は、本発明の実施例１に係る支持台開閉構造の斜視図である。図２は、図１の支持台開閉構造の側面図である。図１及び図２において、それぞれ、（ａ）は収納状態、（ｂ）は半分開いた状態、（ｃ）は天板を完全に回出した状態を表す。図３は、図１の支持台開閉構造の分解斜視図である。図４は、図１の支持台開閉構造の（ａ）背面斜視図及び（ｂ）底面図である。
【００２４】
本実施例に係る支持台開閉構造１は、背板２、天板３、脚板４、筋交板５，５、及び突支板６を備えている。図１の支持台開閉構造１は、垂直方向の中心面に対して左右対称（面対称）に形成されている。
【００２５】
背板２は、矩形平板状に構成されており、使用時には床面に対して垂直に立てた状態に配置される。天板３は、矩形平板状に構成されており、下辺が背板２の上辺に回動自在に枢着されている。ここで天板３の「下辺」とは、図１（ａ）のように支持台開閉構造の収納状態において、支持台開閉構造を床面に鉛直に配置したときに天板３の下側に位置する辺をいう。また、背板２又は天板３の「前面」とは、図１（ａ）のように支持台開閉構造の収納状態において、支持台開閉構造を床面に鉛直に配置したときに、背板２又は天板３の前側（天板３が回動する側）に位置する面をいう。背板２の上辺の左右には、軸筒突起２ａ，２ａが突出形成されており、天板３の下辺の左右には、各軸筒突起２ａ，２ａを嵌挟する形状の凹溝３ａ，３ａが形成されており、各軸筒突起２ａ，２ａが凹溝３ａ，３ａに嵌挟された状態で枢軸３ｂ，３ｂ（図３参照）によりを軸筒突起２ａから凹溝３ａの両側に挿通することにより、天板３は背板２の上辺に枢着されている。
【００２６】
背板２の上辺から上下方向に背板中央溝２ｂが形成されている。背板中央溝２ｂは、背板２の前側板面に凹陥状に形成された有底矩形状の溝であり、一方の溝端が該背板２の上辺側に開放され、他方の溝端は該背板２の中央よりも下辺寄りの付近にまで延びている。また、この背板中央溝２ｂは、筋交板５，５の外形に合致する幅に形成されており、筋交板５，５が出入し合致嵌合することが可能である。背板中央溝２ｂの左右の溝壁の中央には、該背板中央溝２ｂの溝筋方向と平行に枢軸軌道溝２ｃ，２ｃ（第２の枢軸軌道溝）が凹陥溝状に形成されている。
【００２７】
天板３の下辺から上下方向に天板中央溝３ｃが形成されている。天板中央溝３ｃは、天板３の前側板面に凹陥状に形成された有底矩形状の溝であり、一方の溝端が該天板３の下辺側に開放され、他方の溝端は該背板２の中央よりも上辺寄りの付近にまで延びている。また、この天板中央溝３ｃは、筋交板５，５の外形に合致する幅に形成されており、筋交板５，５が出入し合致嵌合することが可能である。天板中央溝３ｃの左右の溝壁の中央には、該天板中央溝３ｃの溝筋方向と平行に枢軸軌道溝３ｄ，３ｄ（第１の枢軸軌道溝）が凹陥溝状に形成されている。
【００２８】
また、天板３の天板中央溝３ｃの溝底面には、下辺付近に左右の溝壁に隣接して、先端が上方に向かって直角に曲折した鈎形状の掛止片３ｅ，３ｅが突設されている（図３参照）。
【００２９】
脚板４は、冂形の平板状に構成されており、上辺が枢軸５ａ（図３参照）により天板に回動自在に枢支されている。脚板４の上辺付近には、上辺に平行な枢軸孔４ｂ（図３参照）が貫通形成されており、この枢軸孔４ｂに回転自在に挿通された枢軸５ａ（第１の枢軸）により、天板中央溝３ｃに摺回動自在に枢支されている。脚板４の下辺は自由端となっており、上辺を回動軸として自由回動し、重力により下辺側が鉛直下方を向くように構成されている。脚板４の下辺から上下方向に脚板中央溝４ａが形成されている。脚板中央溝４ａは、脚板４の板面を貫いて形成された矩形切込状の溝であり、一方の溝端が該脚板４の下辺側に開放され、他方の溝端は該脚板４の上辺付近にまで延びている。また、この脚板中央溝４ａは、突支板６の外形に合致する幅に形成されており、突支板６が出入し合致嵌合することが可能である。脚板中央溝４ａの左右の溝壁の中央には、該脚板中央溝４ａの溝筋方向と平行に枢軸軌道溝４ｃ，４ｃ（第３の枢軸軌道溝）が凹陥溝状に形成されている。また、脚板４の板面の上端部付近の中央には、横長帯直円状の把手孔４ｄが貫通形成されている。
【００３０】
筋交板５，５は、背板中央溝２ｂ及び天板中央溝３ｃの中心線に対して対称な左右一対のＬ字形の平板により構成されており、脚板４の左右に隣接配置されている。左右の筋交板５，５は、上辺側が該上辺に平行な枢軸５ａ（第１の枢軸）により連結され、下辺側が該下辺に平行な枢軸５ｂ（第２の枢軸）により連結されている。枢軸５ａの両側は左右の筋交板５，５の上辺付近を板面に平行に貫通し、枢軸５ａの両端部５ａ’，５ａ’は、左右の筋交板５，５の側方に突出している。この突出した両端部５ａ’，５ａ’が、天板中央溝３ｃの左右の溝壁の枢軸軌道溝３ｄ，３ｂに回摺動自在に嵌入されている。これにより、枢軸軌道溝３ｄ，３ｂと両端部５ａ’，５ａ’が滑り回り対偶となり、筋交板５，５の上辺は、天板中央溝３ｃに摺回動自在に枢支される。枢軸５ｂの両側は左右の筋交板５，５の下辺付近を板面に平行に貫通し、枢軸５ｂの両端部５ｂ’，５ｂ’は、左右の筋交板５，５の側方に突出している。この突出した両端部５ｂ’，５ｂ’が、背板中央溝２ｂの左右の溝壁の枢軸軌道溝２ｃ，２ｃに回摺動自在に嵌入されている。これにより、枢軸軌道溝２ｃ，２ｃと両端部５ｂ’，５ｂ’が滑り回り対偶となり、筋交板５，５の下辺は、背板中央溝２ｂに摺回動自在に枢支される。
【００３１】
また、各筋交板５の背面には、断面が鈎形状に形成された掛止孔５ｃが刻設されている。この左右の筋交板５，５の掛止孔５ｃ，５ｃは、其々、天板３の天板中央溝３ｃの溝底面に突設された左右の掛止片３ｅ，３ｅと、着脱自在に掛合する。
【００３２】
突支板６は、長尺な矩形平板状に構成されており、脚板４中央の脚板中央溝４ａに出入り自在に嵌入されている。また、突支板６は、下辺が筋交板５，５と共通の枢軸５ｂにより背板２に摺回動自在に枢支されており、枢軸６ａ（第３の枢軸）により脚板４中央の脚板中央溝４ａの左右溝壁の枢軸軌道溝４ｃに摺回動自在に枢支されている。
【００３３】
また、背板２、天板３、左右の筋交板５，５、脚板４、及び突支板６は、図１（ａ），図２（ａ）に示すように、背板２と天板３が平行となるよう開いた状態（収納状態）において、左右の筋交板５，５は背板中央溝２ｂ及び天板中央溝３ｃに合致嵌合し、脚板４は左右の筋交板５，５の間に合致嵌合し、突支板６は脚板中央溝４ａに合致嵌合し、且つ背板２、天板３、左右の筋交板５，５、脚板４、及び突支板６の前面が面一となるように構成されている。
【００３４】
図５は、図１の支持台開閉構造における天板３の掛止片３ｅ及び筋交板５の掛止孔５ｃの掛合構造を表す拡大断面図である。図５に示したとおり、天板３の掛止片３ｅは、断面が上向きに曲折した鈎形に形成されており、筋交板５の掛止孔５ｃも、断面が上向きに曲折した鈎形に形成されている。筋交板５の掛止孔５ｃの開口端の上側辺は、滑らかな凸曲面状に面取りされた筋交板側ガイド面１０が形成されている。同様に、天板３の掛止片３ｅの筋交板５に対向する側の上側辺は、滑らかな凸曲面状に面取りされた天板側ガイド面１１が形成されている。
【００３５】
以上のように構成された本実施例の支持台開閉構造について、以下その動作を説明する。
【００３６】
図１（ａ）の収納状態においては、図５（ａ）に示すように、掛止片３ｅが掛止孔５ｃに掛合し、筋交板５は天板３と平行な状態に固定される。天板を回出する場合には、図５（ｂ）の矢印Ａに示したように、把手孔４ｄを持って脚板４，筋交板５，５，及び突支板６を上方に引き上げる。このとき、筋交板５，５は、枢軸５ｂにより枢軸軌道溝２ｃ，２ｃに摺回動自在に枢支されているので、把手孔４ｄを持って上方に引き上げることで、筋交板５を背板中央溝２ｂ及び天板中央溝３ｃ内で上方に移動させることができる。そして、図５（ｂ）のように掛止片３ｅが掛止孔５ｃとの掛合が解除された位置で、把手孔４ｄを持って前方に引けば、図１（ｂ），図２（ｂ）のように天板を回出することができる。
【００３７】
一旦、掛止片３ｅが掛止孔５ｃの外に出れば、脚板４を引き上げておく必要はなく、把手孔４ｄを持って前方に引けばよい。このとき、筋交板５，５は重力により下方に摺動して、筋交板５，５の下端が背板中央溝２ｂの下端溝壁に当接した状態の位置で安定する。またこのとき、脚板４は枢軸５ａにより天板３の枢軸軌道溝３ｄに摺回動自在に枢支されているので、脚板４は重力によって鉛直方向に懸垂された状態を保つ。また、脚板４の回動に伴って、突支板６も上端が下方に回動する。
【００３８】
図１（ｃ），図２（ｃ）のように、天板３を、水平となるまで回動させると、脚板４の下端の高さが、背板２の下端の高さと同じとなり、脚板４の下端が床面に接地し、天板３が完全に回出された状態となる。このとき、突支板６は略水平な状態となる位置まで回動する。この突支板６により、脚板４の回動が規制され、使用者が誤って脚板４を背板２の方向に蹴るなどして脚板４に衝撃が加わった場合でも、脚板４が使用者の意に反してずれて天板３が跳ね上がるというような事故を防止することができる。
【００３９】
次に、図１（ｃ），図２（ｃ）の状態から天板３を収納する場合には、天板３の先端を持ち上げて天板３を上方に回動させる。天板３と背板２が略平行になるまで回動させると、図５（ｃ）に示したように、左右の筋交板５の筋交板側ガイド面１０が、対向する掛止片３ｅの天板側ガイド面１１に当接する。更に天板３を上方に回動させると、筋交板側ガイド面１０及び天板側ガイド面１１は、ともに滑らかな凸曲面状に面取りされているので、筋交板側ガイド面１０が天板側ガイド面１１上を滑りながら、筋交板５，５が上方に持ち上げられる。そして、掛止片３ｅが掛止孔５ｃと掛合する位置まで滑ると、重力によって筋交板５，５が下方に摺動して、掛止片３ｅが掛止孔５ｃに自動的に掛合し、図５（ａ）の掛合状態となって安定する。このようにして、使用者が天板３の先端を持ち上げて上方に回動させるだけで、筋交板５，５が半自動的に背板２に固定され、容易に天板３を収納・固定することができる。
【実施例２】
【００４０】
図６は、本発明の実施例２に係る支持台開閉構造の斜視図である。図６（ａ）は収納状態、図６（ｂ）は半分開いた状態、図６（ｃ）は天板を完全に回出した状態を表す。本実施例では、実施例１の支持台開閉構造を、グラスや食器等を収納する家具に応用したものである。
【００４１】
尚、本実施例は、本発明の支持台開閉構造の応用例の一例であり、これ以外にも、腰掛けや折り畳みベッドなど様々な用途に本発明の支持台開閉構造を応用することが可能である。
【符号の説明】
【００４２】
１  支持台開閉構造
２  背板
２ａ  軸筒突起
２ｂ  背板中央溝
２ｃ  枢軸軌道溝（第２の枢軸軌道溝）
３  天板
３ａ  凹溝
３ｂ  枢軸
３ｃ  天板中央溝
３ｄ  枢軸軌道溝（第１の枢軸軌道溝）
３ｅ  掛止片
４  脚板
４ａ  脚板中央溝
４ｂ  枢軸孔
４ｃ  枢軸軌道溝（第３の枢軸軌道溝）
４ｄ  把手孔
５  筋交板
５ａ  枢軸（第１の枢軸）
５ｂ  枢軸（第２の枢軸）
５ｃ  掛止孔
６  突支板
６ａ  枢軸（第３の枢軸）
６ｂ  枢軸孔
１０  筋交板側ガイド面
１１  天板側ガイド面
【要約】
【課題】従来の支持台開閉構造と異なる連鎖構成の支持台開閉構造の提供。
【解決手段】背板２、背板２上辺に回動自在に枢着された天板３、上辺が枢軸で天板３に回動自在に枢支された脚板４、下辺が枢軸で背板２に摺回動自在に枢支され上辺が脚板４と共通の枢軸で天板３に摺回動自在に枢支され脚板４の左右に隣接配置された一対の筋交板５、下辺が筋交板５と共通の枢軸で背板２に回動自在に枢支され上辺が枢軸で脚板４に摺回動自在に枢支された突支板６、背板２に形成され一方溝端が背板２上辺側に開放され筋交板５が合致嵌合する背板中央溝２ｂ、背板２前面溝と溝幅及び溝筋が合致連続するよう天板３に形成され一方溝端が天板３下辺側に開放され筋交板５が合致嵌合する天板中央溝３ｃ、脚板４に形成され一方溝端が脚板４の下辺側に開放され突支板６が合致嵌合する脚板中央溝４ａを備えた。
【選択図】図１【図５】
0005993073.tif 000002
【図６】
0005993073.tif 000003
【図１】
0005993073.tif 000004
【図２】
0005993073.tif 000005
【図３】
0005993073.tif 000006
【図４】
0005993073.tif 000007
【図７】
0005993073.tif 000008
【図８】
0005993073.tif 000009